(57)【特許請求の範囲】
【請求項１】
一定スペースに冷涼空間を形成するクールベンチシステムであって、
上面が閉塞した略円筒形状を有する直立ピラーと、
前記直立ピラーの下端側に接続されて利用者が座るためのベンチ部と、を備え、
前記直立ピラーは、円筒形状の内側円筒体、当該内側円筒体の表面を覆うように配置された吸水性シート、当該吸水性シートの表面に沿って螺旋状に配置されて冷却水が流れる送水管、及び当該送水管の外側に配置された円筒形状の外側円筒体を有する、ことを特徴とするクールベンチシステム。
【請求項２】
前記クールベンチシステムは、さらに、
冷却水を生成するための熱源機を備え、
前記直立ピラーの上面には、前記熱源機とは冷却水管を介して接続され、前記熱源機で生成された冷却水を前記送水管にヘッダー方式で給水するためのヘッダーが配置される、ことを特徴とする請求項１記載のクールベンチシステム。
【請求項３】
前記直立ピラーの下端側には、前記ベンチ部と接続するため接続部材が連結される、ことを特徴とする請求項１又は２記載のクールベンチシステム。
【請求項４】
前記ベンチ部は、前記直立ピラーの外周形状に沿って形成された背凭れ面と、当該背凭れ面の下端側から水平方向に延出した座面部と、前記接続部材と嵌合する直立ピラー支持部と、前記座面部を下方から支持する基台と、を備え、
前記背凭れ面及び前記座面部は、熱伝導率の高い金属で形成される、ことを特徴とする請求項３記載のクールベンチシステム。
【請求項５】
前記座面部は、その内部空間に、前記送水管の表面において形成されて前記吸水性シートを伝って下方に滴り落ちてきた結露水を貯水するための貯水空間を有し、
前記貯水空間には、潜熱蓄熱材（PCM: Phase Change Material）組成物が充填されている複数のPCM容器が配置される、ことを特徴とする請求項４記載のクールベンチシステム。
【請求項６】
前記ベンチ部は、さらに、前記送水管の表面において形成されて前記吸水性シートを伝って下方に滴り落ちてきた結露水を貯水するための貯水区画を有し、
前記座面部の座面下に、板形状で当該座面に対して隣接して設けられたPCM用板体が配置され、
前記座面部は、前記背凭れ面の下端側に回動可能に連結された折り畳み式座面部である、ことを特徴とする請求項４記載のクールベンチシステム。
【請求項７】
前記基台は、その一面に開口面を有し、
前記クールベンチシステムは、さらに、
前記開口面から外気を前記直立ピラーの内部空間に送り込むための送風機を備え、
前記内側円筒体及び前記外側円筒体は、その表面に、前記送風機から送風された空気を外側に通すための複数の貫通孔を有する、ことを特徴とする請求項４乃至６のいずれか一項に記載のクールベンチシステム。
【請求項８】
螺旋状に配置された前記送水管の隣接する送水管同士の間隔は、１ｍｍ〜１０ｍｍの範囲である、ことを特徴とする請求項１乃至７のいずれか一項に記載のクールベンチシステム。
【発明の詳細な説明】
【技術分野】
【０００１】
本発明は、屋外の一定スペースに冷涼空間を作り、人々が冷涼感を得ながら気軽に休息できるクールベンチシステムに関する。
【背景技術】
【０００２】
近年、地球温暖化現象などにより夏季の気温が上昇し、人々が集まる広場、屋外イベント会場などに用いることができる屋外冷房装置に対する需要が高まっている。従来より、屋外の一定スペースを冷房するための様々な屋外冷房装置があり、例えば、噴霧ノズルからミストを噴出させて、このミストの蒸散に伴う潜熱によって夏季の猛暑空間を緩和する装置は広く普及している。
【０００３】
また、例えば、上部にアーチ状の屋根と、両側部に側壁及び出入口に扉が設けられた屋外通路に、通路床下面に空気を冷却するための冷却機構とを備えた屋外冷却システムが開示されている（例えば、特許文献１参照）。このシステムでは、冷却機構によって床上面の空気が冷やされ、側壁及び扉が冷やされた空気の拡散防止の役割を果たして「冷気だまり」を形成し、通行人が足元から冷涼感を得ることができる。
【０００４】
また、ガスヒートポンプ及びガスタンクを荷台に搭載した運搬可能なトラックに、ヒートポンプで得られた冷熱を、トラックに備えられた輻射パネルに送り、周囲の人の放射熱を吸熱して冷涼感を与える屋外エアコンディショナーが開示されている（例えば、特許文献２参照）。さらに、回転しながら水をノズルから噴霧することで、ノズルや配管への霧の付着を防止して水滴の落下を防ぎ、直下の通行人を濡らさずに霧が蒸発する際の気化熱によって周囲空気の温度を下げて冷涼感を与える冷房装置が開示されている（例えば、特許文献３参照）。またさらに、シート腰部の空気戻り部より吸い込まれた空気をHVAC機器で冷却して、シート足元及び後頭部吹出口より冷風を吹き出して、着座した使用者が冷涼感を得る屋外冷暖房システムも開示されている（例えば、特許文献４参照）。
【先行技術文献】
【特許文献】
【０００５】
【特許文献１】特開2017-053521号公報
【特許文献２】特開2015-178924号公報
【特許文献３】特開2011-220644号公報
【特許文献４】特表2015-508683号公報
【発明の概要】
【発明が解決しようとする課題】
【０００６】
しかしながら、上記噴霧ノズル式のミストを用いる屋外冷房方法においては、蒸散するまでに人の髪や顔を濡らしてしまい利用者に不快感を与え、また、粒径が小さいと屋外風の影響を受け易く、自然風の風向・風速によっては全く冷涼効果を得ることができない。また、噴霧ノズルを用いるために多量の水を必要とし、このために設置条件が限定され、ランニングコストも高いという問題がある。
【０００７】
また上記特許文献１に示す屋外冷却システムでは、通路床下に冷却機構を設備する構造のため、足元は冷えるが頭上（上半身）は十分な冷涼感を得ることができない。また、常設構造のため移設できないという問題もある。さらに、上記特許文献２に示す屋外エアコンディショナーは車載型のため、車が乗り付け可能な場所でしか利用できず汎用性がない。このように従来の屋外冷房システムに関しては未だ改善の余地が多くある。
【０００８】
本発明は、上記課題に鑑みてなされたものであり、容易に搬送して組み立てることができ、屋外スペースの冷房時のランニングコストを低く抑えると共に、人々が今までにない快適な冷涼感を得ながら休息できるクールベンチシステムを提供することを目的とする。
【課題を解決するための手段】
【０００９】
上記課題を解決するため、本発明は一定スペースに冷涼空間を形成するクールベンチシステムであって、上面が閉塞した略円筒形状を有する直立ピラーと、前記直立ピラーの下端側に接続されて利用者が座るためのベンチ部と、を備え、前記直立ピラーは、円筒形状の内側円筒体、当該内側円筒体の表面を覆うように配置された吸水性シート、当該吸水性シートの表面に沿って螺旋状に配置されて冷却水が流れる送水管、及び当該送水管の外側に配置された円筒形状の外側円筒体を有することを特徴とする。
【００１０】
このクールベンチシステムにおいて、さらに、冷却水を生成するための熱源機を備え、前記直立ピラーの上面には、前記熱源機とは冷却水管を介して接続され、前記熱源機で生成された冷却水を前記送水管にヘッダー方式で給水するためのヘッダーが配置されることが好ましい。
【００１１】
このクールベンチシステムにおいて、前記直立ピラーの下端側には、前記ベンチ部と接続するため接続部材が連結されることが好ましい。
【００１２】
このクールベンチシステムにおいて、前記ベンチ部は、前記直立ピラーの外周形状に沿って形成された背凭れ面と、当該背凭れ面の下端側から水平方向に延出した座面部と、前記接続部材と嵌合する直立ピラー支持部と、前記座面部を下方から支持する基台と、を備え、前記背凭れ面及び前記座面部は、熱伝導率の高い金属で形成されることが好ましい。
【００１３】
このクールベンチシステムにおいて、前記座面部は、その内部空間に、前記送水管の表面において形成されて前記吸水性シートを伝って下方に滴り落ちてきた結露水を貯水するための貯水空間を有し、前記貯水空間には、潜熱蓄熱材（PCM: Phase Change Material）組成物が充填されている複数のPCM容器が配置されることが好ましい。
【００１４】
このクールベンチシステムにおいて、前記ベンチ部は、さらに、前記送水管の表面において形成されて前記吸水性シートを伝って下方に滴り落ちてきた結露水を貯水するための貯水区画を有し、前記座面部の座面下に、板形状で当該座面に対して隣接して設けられたPCM用板体が配置され、前記座面部は、前記背凭れ面の下端側に回動可能に連結された折り畳み式座面部であることが好ましい。
【００１５】
このクールベンチシステムにおいて、前記基台は、その一面に開口面を有し、前記クールベンチシステムは、さらに、前記開口面から外気を前記直立ピラーの内部空間に送り込むための送風機を備え、前記内側円筒体及び前記外側円筒体は、その表面に、前記送風機から送風された空気を外側に通すための複数の貫通孔を有することが好ましい。
【００１６】
このクールベンチシステムにおいて、螺旋状に配置された前記送水管の隣接する送水管同士の間隔は、１ｍｍ〜１０ｍｍの範囲であることが好ましい。
【発明の効果】
【００１７】
本発明に係るクールベンチシステムは、上面が閉塞した略円筒形状を有して直立する直立ピラーと、この直立ピラーの下端側に接続されて利用者が座るためのベンチ部とを備える。直立ピラーは、円筒形状の内側円筒体、この内側円筒体の表面を覆うように配置された吸水性シート、この吸水性シートの表面に沿って螺旋状に配置されて冷却水が流れるフレキ管、及びこのフレキ管の外側に配置された円筒形状の外側円筒体を有する。この構成により、本発明に係るクールベンチシステムでは、容易に搬送して組み立てることができ、屋外スペースの冷房時のランニングコストを低く抑えると共に、人々が今までにない快適な冷涼感を得ながら休息できる。
【図面の簡単な説明】
【００１８】
【図１】本発明の実施の形態１に係るクールベンチシステムの熱移動を説明する図である。
【図２】（ａ）同上クールベンチシステムを成す直立ピラーの部分透視図、（ｂ）同上直立ピラーを構成する筒状構成体の平面図、（ｃ）同上筒状構成体のＡ−Ａ線断面図である。
【図３】図３（ｃ）の点線部の拡大参考図である。
【図４】同上クールベンチシステムに備わる直立ピラー及びベンチ部の連結状態の説明図である。
【図５】（ａ）同上ベンチ部の底面図、（ｂ）同上ベンチ部の構造の説明図である。
【図６】同上クールベンチシステムの使用状態を示すイメージ図である。
【図７】同上クールベンチシステムの使用状態を示すイメージ図である。
【図８】同上実施の形態１の変形例２に係るシステムの全体図である。
【図９】本発明の実施の形態２に係るクールベンチシステムの熱移動を説明する図である。
【発明を実施するための形態】
【００１９】
（実施の形態１）
本発明の実施の形態１に係るクールベンチシステムについて図１乃至図７を参照して説明する。本実施の形態１に係るクールベンチシステムは、屋外の一定スペースに、人々が冷涼感を得ながら休息することができる環境を提供し、特に、気温の高い夏季や熱帯国において人々が集まる例えば公園、広場、イベント会場や工事現場などに用いられる。
【００２０】
最初に、本実施の形態１に係るクールベンチシステムの全体構造に関して図１を参照して説明する。クールベンチシステム１は、屋外の一定スペースに冷涼空間を形成し、上面が閉塞した略円筒形状を有して直立する直立ピラー２と、直立ピラー２の下端側に接続されて利用者が座るためのベンチ部３と、を備える。なお、クールベンチシステム１は、例えば、幅寸法１５００（ｍｍ）×高さ寸法２０００（ｍｍ）程度の大きさを有する。
【００２１】
直立ピラー２は、図２（ａ）に示すように、上下方向に連結される複数の筒状構成体２ａを内部に有する。この筒状構成体２ａは、図２（ｃ）に示すように、金属製で円筒形状の内側円筒体２１、内側円筒体２１の表面を覆うように配置された吸水性シート２２、吸水性シート２２の表面に沿って螺旋状に配置されて冷却水が流れるフレキ管（送水管）２３、及びフレキ管２３の外側に配置された金属製で円筒形状の外側円筒体２４を有する。なお、直立ピラー２が必ず複数の筒状構成体２ａで構成される必要性はなく、一の直立ピラー２が内側円筒体２１、吸水性シート２２、フレキ管（送水管）２３、及び外側円筒体２４を有する構造でも良い。筒状構成体２ａは図２（ｂ）で示すように連結用アングル２５を有し、上下方向で連結される。フレキ管２３は、バインド線２６を用いて外側から係止される。
【００２２】
なお、フレキ管２３は一つの方法であり、冷却水の送水ができるフレキシブルな構造を有していればよく、表面が平滑な単管でも可能である。本実施の形態１においては、同一距離でも表面積が大きく（熱交換効率：高）、円筒体に螺旋状に巻き付けるには、フレキシブルで曲がりによって変位や動きを吸収するフレキ管２３が好適である。フレキ管２３の材質は、熱伝導率からアルミや銅、耐腐食性があるSUS（オーステナイト系）の304や316が好適である。フレキ管２３は、一般的に肉薄な製品が多く、熱交換材として利用も可能である。
【００２３】
吸水性シート２２は、保水性・親水性を有し、例えば毛細管現象を利用して水分の均一拡散が可能な不織布フェルトなどを用いる。その他、ポリエステル、レーヨン、ナイロン、パルプ、再生セルロース、キュプラ、アセテート、ビニロン、アクリル系、羊毛など。PVAスポンジなどを用いても良い。フレキ管２３は、例えばステンレス鋼の波形形状の管であり、軽量且つ柔軟性を有するために容易に施工することができる。
【００２４】
クールベンチシステム１は、図１に示すように、冷却水を生成するための熱源機４（ヒートポンプ式冷水機）を備える。また、直立ピラー２の上面には、熱源機４と冷却水管４ａを介して接続され、熱源機４で生成された冷却水を複数の筒状構成体２ａが有するそれぞれのフレキ管２３にヘッダー方式で給水するためのヘッダー２ｂが配置される。また、フレキ管２３を通って循環された温水を、冷却水管４ａを介して熱源機に戻すための出水用のヘッダー２ｂも配置される。具体的には、図２（ｃ）に示すように筒状構成体２ａの内側円筒体２１には２か所にフレキ管用穴部２１ｂ，２１ｃが形成され、この穴部２１ｂ，２１ｃを通ってフレキ管２３の給水側が給水用のヘッダー２ｂに、出水側が出水用のヘッダー２ｂに接続される。ヘッダー２ｂは、ヘッダーカバー２ｃ内部に収容される。
【００２５】
なお、ヘッダー２ｂにロック機構を設けることにより所定の筒状構成体２ａのフレキ管２３への送水を停止でき、冷房の調整をすることができる。また、逆止弁付きのエアー抜き弁２ｄがヘッダー２ｂに取り付けられ、このエアー抜き弁２ｄは、フレキ管２３や冷却水管４ａ内に滞留しているエアーを効果的に管外に排気すると共に、逆止弁によってエアがフレキ管２３内や冷却水管４ａ内に流れることを防止する。
【００２６】
ここで、ヘッダー２ｂの位置は直立ピラー２の最上部が最も好ましい。これは、エアー抜きが容易であると共に、ブラインを流すフレキ管２３の各回路を制御し易いことや、夏冬の運転切替などのメンテナンスが容易であるなどの理由からである。
【００２７】
熱源機４たるヒートポンプ式冷水機は、加圧機による圧力調整をＣＯ２冷媒などの自然冷媒にかけることで自然冷媒を冷温にして、その熱で水を冷却するものであり、大気熱を利用できるため、より効率的に冷却水（温度７〜１０℃程度）を生成し、またＣＯ２排出量も抑えることができる。
【００２８】
ヒートポンプ式冷却機の内部には循環ポンプ（図示せず）が配置されている。この循環ポンプは冷却水管４ａ内の冷却水を循環させるためのポンプであり、この循環ポンプが駆動されることにより、直立ピラー２側から循環して戻ってきた温水を冷却する。また、直立ピラー２の上面に設けられたヘッダー２ｂに冷却水を送水すると共に、このヘッダー２ｂを介して分岐された各フレキ管２３に冷却水を循環する。
【００２９】
直立ピラー２の下端側には、図２（ａ）に示すベンチ部３と接続するため円筒形状の接続部材２ｅが連結されている。この構成により、直立ピラー２は、クールベンチシステム１の使用時においてベンチ部３から直立する形態となる。
【００３０】
ベンチ部３は、図４に示すように、直立ピラー２の外周形状に沿って形成された背凭れ面３１と、背凭れ面３１の下端側から水平方向に延出した座面部３２と、接続部材２ｅと嵌合する直立ピラー支持部３３と、座面部３２を下方から支持する基台３４と、を備える。背凭れ面３１及び座面部３２は、熱伝導率の高い金属（鉄やアルミニウム）で形成される。この構成により、背凭れ面３１及び座面部３２の冷気と、利用者の体温を伝熱方式で容易に熱交換することが可能となる。
【００３１】
座面部３２は、その内部空間に、フレキ管２３の表面において生成されて吸水性シート２２を伝って下方に落ちてきた結露水を貯水するための貯水空間３２ａを有する。なお、本実施の形態１において背凭れ面３１の内部空間と、座面部３２の貯水空間とは連続する。この構成により、座面下の貯水空間３２ａに滞留している冷たい結露水は冷気だまりになっており、座面部３２及び背凭れ面３１の表面は金属の熱伝導によって冷やされることとなる。
【００３２】
ここで、フレキ管２３の表面に形成される結露水の流れに関して図３を参照しながら説明する。直立ピラー２の外周に巻き付いてあるフレキ管２３内に、熱源機４（ヒートポンプなど）で冷却された冷却水（不凍液、若しくは熱源機を必要としない地下水を送水することも可能）を送水すると、温度湿度の高い夏の空気と熱交換して、冷却されたフレキ管２３の表面において空気は冷やされてフレキ管２３の表面に結露水ができる。
【００３３】
ここで、螺旋状に配置されたフレキ管２３の隣接するフレキ管２３同士の間隔は、１ｍｍ〜１０ｍｍの範囲であり、より好ましくは２ｍｍ〜５ｍｍの範囲である。この構成により、フレキ管２３の表面に形成される結露水が図３の矢印に示すような直立ピラー２の内側に回り込むようにして移動して、結露水はフレキ管２３に接触する保水性・親水性を有する吸水性シート２２に浸透する。さらに、結露水はこの吸水性シート２２を伝いながら下方に滴りながら流下して、ベンチ部３の背凭れ面３１の裏側の空間を滴り落ちて、座面部３２の貯水空間３２ａに滞留する。
【００３４】
ここで、座面部３２の貯水空間３２ａには、潜熱蓄熱材（PCM: Phase Change Material）組成物が充填されている複数のPCM容器３２ｂが配置される。PCM容器３２ｂは例えばドーナツ形状を有する。この構成により、座面部３２及び背凭れ面３１が冷やされ過ぎて表面に結露水が付着して、使用者の服を濡らすことを適切に防止できる。
【００３５】
なお、潜熱蓄熱材に関して説明すると、この潜熱蓄熱材とは、物質の相変化に伴う熱の放出／吸収を利用した物質であり、融解点・凝固点（相転移温度）を向かえて固体・液体の状態に変化しているときに潜熱蓄熱材はほぼ一定の温度を保つ。また、潜熱蓄熱材は、常温下では水やコンクリートよりも何倍も大きな蓄熱量を保持できるという特性を有する。特に、本実施の形態１においては、主に２５〜３０℃の範囲内で相変化する蓄熱材たる低温型蓄熱材を用いることで、蓄熱材が結露水と熱交換し、結露水が冷たくなり過ぎることを防止し、水温を25〜30℃に保って座面部３２や背凭れ面３１が結露して濡れることを防ぎ、また、利用者に冷涼感を与えることができる。
【００３６】
また、潜熱蓄熱材はそれぞれ固有の相変化温度を有しており、製造工程において目的の温度に合わせるよう潜熱蓄熱材の融点調整剤などを調合して、相変化温度を調整できる。本実施の形態１に係るクールベンチシステム１に用いる潜熱蓄熱材組成物は、例えば、主原料（実際に相変化して吸放熱する）として、硫酸ナトリウム10水塩、塩化カルシウム6水塩、炭酸ナトリウム1水塩、リン酸水素二ナトリウム10水塩、チオ硫酸ナトリウム5水塩、酢酸ナトリウム3水塩などの無機水和塩系や、パラフィンワックス、ポリエチレングリコールなどの有機材系を用いることができる。また、融点調整材（主原料が目的の温度で相変化するように調整する材料）としては、例えば、水、尿素、塩化アンモニウム、硫酸アンモニウム、臭化アンモニウム、塩化ナトリウム、塩化カリウム、臭化ナトリウムなどの１種若しくは２種以上を混合したものを用いることができる。さらに、過冷却防止材（確実に凝固点付近温度で結晶を析出させるための材料）としては、例えば、四ホウ酸ナトリウム、ピロリン酸ナトリウム、リン酸二ナトリウム、フッ化リチウム、塩化バリウム、塩化ストロンチウムなどの１種若しくは２種以上を混合させたものを用いることができる。さらに、相分離防止材（比重差による相の分離を防止するための材料）としては、例えば、ポリアクリル酸ナトリウム、ポリアクリルアミド、カルボキシメチルセルロース、アタパルジャイト、セピオライトなどの１種若しくは２種以上を混合させたものを用いることができる。
【００３７】
ベンチ部３の基台３４には、図５で示すように、垂直方向に立設された止水板３５、循環ポンプ接続口３６、支持棒３７、フレキ管接続口３８及びオーバーフロー排水口３９も備わる。フレキ管接続口３８から冷却水を貯水空間３２ａに配置されたフレキ管３２ｃに流して、貯水空間３２ａに貯水された結露水を冷却することもできる。
【００３８】
ベンチ部３の基台３４は、その一面に開口面を有し、クールベンチシステム１は、図５（ｂ）に示すように、開口面から外気を直立ピラー２の内部空間に送り込むための送風機５を備える。また、内側円筒体２１及び外側円筒体２４は、その表面に、送風機５から送風された空気を外側に通すための複数の貫通孔２１ａ，２４ａを有する。この構成により、熱源機４の稼働と同時に、ベンチ部３の基台３４内に設置された送風機５が稼働し、ベンチ部３の開口部より外気を取り入れて、直立ピラー２の内部空間に向かって送風される。そして、この送風された空気は直立ピラー２の表面にある多数の貫通孔２１ａ，２４ａより吹き出し、その際、結露水で水濡状態になっている吸水性シート２２を通過し、冷却されているフレキ管２３の間隙から外部に吹き出される。最後に、吹き出した空気は吸水性シート２２及びフレキ管２３に接触して冷やされ、冷風となって外部に吹き出される。なお、送風機５の吸気口には、図５（ｂ）に示す塵埃フィルタ５ａが設けられ、塵埃が直立ピラー２の内部に侵入することをできる限り軽減する。
【００３９】
ここで、クールベンチシステム１は、図１に示すように、座面部３２の貯水空間３２ａに貯水された結露水を、地面側に排水するためのドレイン管６を備えてもよい。この構成により、貯水空間３２ａに滞留している結露水は、ある一定量にまで達するとオーバーフローして結露水はドレイン管６から排水される。例えば、排水されたドレイン水はベンチ使用者の足元に敷設している保水性ブロック８に含浸される。それにより足元の保水性ブロックは常に濡れている状態で表面温度は低くなり、足元の空気温度を下げたり、人体の赤外放射熱を吸熱したりする更なる効果がある。
【００４０】
クールベンチシステム１は、さらに、座面部３２の貯水空間３２ａに貯水された結露水を、循環させるための循環ポンプ７を備えてもよい。省電力式の循環ポンプ７からの配管は例えば直立ピラー２の上面に配置された散水管２ｆに接続されて、散水管２ｆから直立ピラー２の吸水性シート２２の上端から滴下して循環ポンプ７で循環する。この構造により、結露水が十分でないときでも、吸水性シート２２を膨潤状態にできる。
【００４１】
次に、クールベンチシステム１の冷房機能（熱移動）に関して図１を参照しながら説明する。まず、使用者が着座することで、臀部（座面部３２）及び背部（背凭れ面３１）の接触面より伝動熱（Ｂ）の移動が生じて冷涼感が得られる伝熱式冷房機能を有する。また、ベンチ部３の中央部に直立に設置された直立ピラー２からは、冷却された周囲空気が滝のようにダウンドラフト（Ｅ）により使用者の頭上より降りてきて、且つ、使用者からの赤外放射熱（Ｃ）を吸熱する輻射式冷房機能を有する。さらに、送風機５の機能により冷風（Ｄ）が直立ピラー２から外側に向かって送風されることによる対流式冷房機能をも有する。
【００４２】
次に、本実施の形態１に係るクールベンチシステム１の利用例に関して図６及び図７を参照しながら説明する。図６においては、クールベンチシステム１に加えて、特殊コーティング材を塗布した屋根９を備え、保水性ブロック８が舗装された東屋（ガゼボ）風のクールスポットとなる。このようにクールベンチシステム１を設置して使用すれば、日射が遮蔽されることで路面温度の上昇が抑制されて路面からの赤外放射が低減し、また使用者が受ける直射日光を遮ることで、使用者が感じる暑さを和らげる更なる効果がある。
【００４３】
図７は、公園や広場などに図６に示すクールスポットを複数配置した利用イメージである。屋根９には特殊コーティング工法を加工し、短冊状（もしくは格子状や鎧戸状など）に直立した壁面９ａを東・西・南面に設け、屋根９だけでなく、クールスポット内に差し込む日射を遮る。そして、壁面９ａの外面には、同じく特殊コーティング工法を施す。閉塞した壁だと軽量な仮設体では風で飛ばされる恐れがあり、開口が大きいと、自然風により冷気が流されてしまう。このため、図７では、開口のある壁面９ａが互い違いに直立しており、これにより強風に対しても勢いを和らげる減風効果を生じる。
【００４４】
以上の説明のように、本実施の形態１に係るクールベンチシステム１は、上面が閉塞した略円筒形状を有して直立する直立ピラー２と、直立ピラー２の下端側に接続されて利用者が座るためのベンチ部３とを備える。そして、ベンチ部３の中央部に、熱伝導が良好な金属製（アルミニウム等）であって上面が閉塞され、内部が空洞になっている円筒状の直立ピラー２を備える。直立ピラー２の表面には多数の貫通孔が形成、直立ピラー２に保水性・親水性を有する吸水性シート２２（フェルトなど）が巻き付けてあり、さらにその外周に、熱伝導と耐腐食性に優れたフレキ管２３が、吸水性シート２２と接触するように螺旋状に巻き付けてある。この構造により、クールベンチシステム１は、軽量な可搬型であって容易に組み立てることができる。また、熱源機４に循環式のヒートポンプを用いることで屋外スペースでの冷房時のランニングコストを低く抑えることができる。
【００４５】
また、クールベンチシステム１の利用者は、以下（１）〜（３）の冷房機能で今までにない冷涼感を得ながら休息できる。すなわち、（１）直立ピラー２に螺旋状に巻き付いたフレキ管２３に冷却水を通すことで周囲空気が冷やされ、滝にいるようなダウンドラフトによって使用者の頭上に冷気が自然降下して、人体と冷気で熱交換する。（２）フレキ管２３の周囲に生成される結露水によってできた冷気が座面部３２及び背凭れ面３１の表面を冷やして接触による熱交換で体温を奪う。（３）直立ピラー２の表面温度が下がることで、周囲にある物体（人体）からの赤外放射熱を吸熱し物体の熱を奪う。
【００４６】
さらに、座面部３２の貯水空間３２ａにＰＣＭ容器３２ｂを配置することにより、貯水空間３２ａ及び背凭れ面３１の内側の空間温度を長時間一定に保つ（冷たい結露水で冷え過ぎないようにする）ことができる。その結果、座面部３２及び背凭れ面３１が冷やされ過ぎて表面に結露水が付着して、使用者の服を濡らすことを適切に防止できる。
【００４７】
（変形例１）
本実施の形態１の変形例１について説明する。本変形例１では、上記実施の形態１に係るクールベンチシステム１に加えて、座面部３２及び背凭れ面３１の表面には、結露水の発生を抑制する断熱性・遮熱性を有する特殊コーティング剤が塗布される。この特殊コーティング塗料は例えばセラミック配合遮熱塗料であり、例えば中空ビーズ系、シラスバルーン系、真球ファインセラミック系などを用いる。この構成により、本変形例１では、上記実施の形態１における効果に加えて、座面部３２及び背凭れ面３１に塗布された特殊コーティング材によって周囲温度と座面下の中空層温度の間に断熱層を設け、真空層により対流・輻射による熱伝導を妨げる。この結果、利用者が着座していない時は、座面部３２及び背凭れ面３１との間には断熱層となり結露は発生しにくく、着座するとセラミック層は伝熱によって、体表面と接触面での熱移動が行われて利用者が冷涼感を得ることができる。
【００４８】
（変形例２）
本実施の形態１の変形例２について図８を参照しながら説明する。本変形例２に係るクールベンチシステム１の電源供給方法として、グリーン電力を利用する。例えば、排水油脂をエネルギーに変換できる発電システムを備えた発電車両Ｓ、太陽光発電８１や風力発電８２を使うことで、電線がなく電力供給が困難な場所にもクールベンチシステム１を用いることができる。発電車両Ｓは、時間や天候に左右される太陽光発電８１・風力発電８２と異なり、安定的に電源を確保できる。運用方法として、発電車両Ｓで蓄電池８３に充電し、熱源機４、送風機５及び循環ポンプ７に電源を供給し、クールベンチシステム１を稼働させる。また、日中においては太陽光発電８１や風力発電８２から蓄電池８３への充電も可能にする。
【００４９】
（実施の形態２）
以下、本発明に係るクールベンチシステムの実施の形態２に関して図９を参照しながら説明する。なお、上記実施の形態１に係るクールベンチシステム１と同様の構成には同符号を付し、その詳細な説明は省略する。
【００５０】
本実施の形態２に係るクールベンチシステム１は、背凭れ面３１の下端側に上方側の回動可能に連結された折り畳み式座面部４０を備える。これは、人の冷却方法の一つとして、手のひらや足の裏、頬を冷やすことが非常に効果的であることが知られている。図９に示すように、折り畳み式座面部４０を上方に折り畳むことで、利用者はベンチとして座るより以前に、冷却された直立ピラー２を触って涼むことができる。
【００５１】
また、本実施の形態２に係るクールベンチシステム１のベンチ部３は、フレキ管２３の表面において形成されて吸水性シート２２を伝って下方に滴り落ちてきた結露水を貯水するための貯水区画４１を有する。また、折り畳み式座面部４０の座面下に、板形状で隣接してPCM用板体４２が配置される。この構成により、使用していないときは、冷えた背凭れ面３１がPCM用板体４２を冷やしつつも結露が発生せず、また使用者が座ると適温範囲（約25〜30℃の範囲）により冷涼感を得られる効果を奏する。
【００５２】
なお、本発明は、上記実施の形態の構成に限られず、発明の趣旨を変更しない範囲で種々の変形が可能である。例えば、上記実施の形態に係るクールベンチシステムでは、屋外冷房システムとしての機能を説明したが、熱源機としてヒートポンプ式給湯器を用いることにより屋外暖房システムとしても利用することも可能である。
【符号の説明】
【００５３】
１  クールベンチシステム
２  直立ピラー
２ａ  筒状構成体
２ｂ  ヘッダー
２ｃ  ヘッダーカバー
２ｄ  エアー抜き弁
２ｅ  接続部材
２ｆ  散水管
３  ベンチ部
４  熱源機
５  送風機
５ａ  塵埃フィルタ
６  ドレイン管
７  循環ポンプ
２１  内側筒状体
２１ａ，２４ａ  貫通孔
２１ｂ，２１ｃ  フレキ管用穴部
２２  吸水性シート
２３  フレキ管（送水管）
２４  外側筒状体
２５  連結用アングル
２６  バインド線
３１  背凭れ面
３２  座面部
３２ａ  貯水空間
３２ｂ  ＰＣＭ容器
３３  直立ピラー支持部
３４  基台
３５  止水板
３６  循環ポンプ接続口
３７  支持棒
４０  折り畳み式座面部
４１  貯水区画
４２  ＰＣＭ用板体
【要約】
【課題】容易に搬送して組み立てることができ、屋外スペースの冷房時のランニングコストを低く抑えると共に、人々が今までにない快適な冷涼感を得ながら休息できるクールベンチシステムを提供する。
【解決手段】クールベンチシステム１は、上面が閉塞した略円筒形状を有して直立する直立ピラー２と、直立ピラー２の下端側に接続されて利用者が座るためのベンチ部３とを備える。直立ピラー２は、円筒形状の内側円筒体２１、内側円筒体２１の表面を覆うように配置された吸水性シート２２、吸水性シート２２の表面に沿って螺旋状に配置されて冷却水が流れるフレキ管２３、及びフレキ管２３の外側に配置された円筒形状の外側円筒体２４を有する。この構成により、クールベンチシステム１は、容易に搬送して組み立てることができ、屋外スペースの冷房時のランニングコストを低く抑えると共に、人々が今までにない快適な冷涼感を得ながら休息できる。
【選択図】図１【図１】
0006668548.tif 000002
【図２】
0006668548.tif 000003
【図３】
0006668548.tif 000004
【図４】
0006668548.tif 000005
【図５】
0006668548.tif 000006
【図６】
0006668548.tif 000007
【図７】
0006668548.tif 000008
【図８】
0006668548.tif 000009
【図９】
0006668548.tif 000010